(57)【要約】【課題】固定式救命器具（２１ａ）発射装置が開示される。【解決手段】開示された固定式救命器具（２１ａ）発射装置は、ベース（２３）と、前記ベース（２３）の上部に装着されて圧縮ガスを供給する圧縮ガスタンク（２２）と、前記ベース（２３）の上部に所定間隔離間して設けられるフレームと、前記フレームに設置され、救命器具（２１ａ）を前記圧縮ガスタンク（２２）から供給された圧縮ガスの衝撃力で発射する発射ユニット（Ａ）とを含み、前記発射ユニット（Ａ）は、救命器具（２１ａ）装着後の撃発のための装填動作なしに発射体（２１）の発射が可能であることを特徴とする。【選択図】図３
2021518831.tif 000002
【特許請求の範囲】
【請求項１】
救命器具（２１ａ）を遠距離の目標地点に到達するように発射するための固定式救命器具発射装置であって、
ベース（２３）と、
前記ベース（２３）の上部に装着されて圧縮ガスを供給する圧縮ガスタンク（２２）と、
前記ベース（２３）の上部に所定間隔離間して設置されるフレームと、
前記フレームに設置され、救命器具（２１ａ）を前記圧縮ガスタンク（２２）から供給された圧縮ガスの衝撃力で発射する発射ユニット（Ａ）とを含み、
前記発射ユニット（Ａ）は、救命器具（２１ａ）の装着後に撃発のための装填動作なしに発射体（２１）の発射が可能であることを特徴とし、
前記発射装置の上部カバーの開放時または撃発時に、これをセンサーで測定した後、制御部へ感知信号を伝送し、制御部は、事故発生の事実を警察庁サーバ、消防庁サーバおよび地方自治体サーバへ伝送されるようにして後続措置が円滑に行われるようにすることを特徴とする、固定式救命器具発射装置。
【請求項２】
前記ベース（２３）の上部外周を覆う下部カバー（２０）と、
前記フレームの上部外周を覆う上部カバーとを含み、
前記上部カバーは、前記発射ユニット（Ａ）の砲身（３０）が配置される前方と前記発射ユニット（Ａ）の発射ボタン（３３）が配置される後方とが同時に開放または閉鎖されることを特徴とする、請求項１に記載の固定式救命器具発射装置。
【請求項３】
前記上部カバーは、
二つの第１垂直部と、前記二つの第１垂直部同士を連結する第１水平部とによって「コ」字状をなし、前記第１水平部が上部を向くように前記ベース（２３）の上部に固定される第１カバー（２００）と、
二つの第２垂直部と、前記二つの第２垂直部同士を連結する第２水平部とによって「コ」字状をなし、前記第２垂直部の一側には第１ハンドルが結合され、前記第２水平部が上部を向くように前記フレームの上部に配置される第２カバー（２０１）と、
二つの第３垂直部と、前記二つの第３垂直部同士を連結する第３水平部とによって「コ」字状をなし、前記第３垂直部の一側には第２ハンドルが結合され、前記第３水平部の上部を向くが前記第２水平部と重なるように前記フレームの上部に配置される第３カバー（２０２）と、
前記第２水平部と前記第３水平部との間に介在している一対のベアリング（７００）と、
前記第１水平部、前記第２水平部及び前記第３水平部を貫通して結合された上部カバー回転軸（７０２）とを含む、請求項２に記載の固定式救命器具発射装置。
【請求項４】
前記フレームは、
中央に第１貫通孔（２５ａ）が形成され、外周面に沿って発射体（２１）が取り付けられる一つ以上の発射体取付孔を有する第１フレーム（２５）と、
外周面は前記第１フレーム（２５）の第１貫通孔（２５ａ）の縁部に結合され、中央には、第１角度範囲では第１半径に穿設され、前記第１角度範囲に相次いで形成された第２角度範囲では前記第１半径よりもさらに大きい第２半径に穿設された第２貫通孔（２４ｂ）を有する第２フレーム（２４）とを含み、
前記発射ユニット（Ａ）の下部に装着されるストッパー（１０４）が、前記第２貫通孔（２４ｂ）の第２半径に穿設された部分に挿入されることにより、前記発射ユニット（Ａ）の左右方向の回転角度を制限することを特徴とする、請求項１に記載の固定式救命器具発射装置。
【請求項５】
前記発射ユニット（Ａ）は、
砲身（３０）が貫通して結合される第１開口部（３１ｂ）と、上部ケース（３１）の上下方向の回転時に下部ケース（３４）との干渉を防止するために、前記第１開口部（３１ｂ）と所定間隔離間して設けられた第２開口部（３１ｂ）とを有する上部ケース（３１）と、
前記上部ケース（３１）の後方に結合され、砲身（３０）の方向転換のために使用されるハンドル（３２）と、
ストッパー（１０４）が結合される下端部は、前記第２フレーム（２４）の上部に配置され、上端部には、砲身（３０）へ供給される圧縮空気が満たされるガスチャンバー（３４ａ）が形成された下部ケース（３４）と、
前記下部ケース（３４）のガスチャンバー（３４ａ）と上部ケース（３１）を貫通して結合され、前記上部ケース（３１）がガスチャンバー（３４ａ）に対して相対的に回転できるようにする回転軸（４０）とを含み、
前記第１開口部（３１ｂ）を貫通してガスチャンバー（３４ａ）の内部に挿入された砲身（３０）が前記回転軸（４０）を中心に上下方向に回転することができるように前記第２開口部（３１ａ）の開口角度に対応して、前記ガスチャンバー（３４ａ）には第３開口部（３４ｂ）が形成されたことを特徴とする、請求項４に記載の固定式救命器具発射装置。
【請求項６】
円弧状に形成されるが、複数の角度調整孔が円弧に沿って形成され、上部ケース（３１）の内側面に結合された角度調整ブラケット（１０５）と、
中央には、スプリングが内蔵されるように溝が形成され、ガスチャンバー（３４ａ）の外表面上に形成された挿入溝に挿入されるボール挿入具（１０６）と、
前記スプリングによって支持された状態で前記ボール挿入具に後面部が挿入されるが、外部に露出された前面部が前記角度調整ブラケット（１０５）の角度調整孔に挿入される角度調整ボール（１０７）と、
中央に前記角度調整ボール（１０７）の直径よりも小さい直径の孔が穿設され、前記外部に露出された角度調整ボール（１０７）の前面部を拘束して角度調整ボール（１０７）の離脱を防止する固定板（１０８）とをさらに含み、
ハンドル（３２）によって上部ケース（３１）の上下方向の角度が調整されるとき、前記角度調整ボール（１０７）が、角度調整ブラケット（１０５）に形成された前記角度調整孔に挿入されることにより、上部ケース（３１）の上下方向の角度がステップ方式で調整されることを特徴とする、請求項５に記載の固定式救命器具発射装置。
【請求項７】
前記下部ケース（３４）を貫通し、上端は前記ガスチャンバー（３４ａ）の内部に挿入され、下端は第１バルブ体（１００）を経由して撃発ガスタンク（２４ａ）に連結される圧縮ガス注入管（３６）と、
発射ボタン（３３）の撃発時に発射体（２１）の発射のための圧縮ガスを貯蔵する撃発ガスタンク（２４ａ）と、
撃発の前には、前記圧縮ガスタンク（２２）から圧縮ガスの供給を受けて前記撃発ガスタンク（２４ａ）と第２バルブ体（１０３）へ圧縮ガスを提供し、撃発の際には、前記撃発ガスタンク（２４ａ）に貯蔵された圧縮ガスを圧縮ガス注入管（３６）へ供給して発射体（２１）が発射されるようにする第１バルブ体（１００）と、
発射ボタン（３３）と、
前記発射ボタン（３３）に結合され、前記発射ボタン（３３）の撃発の際に第２バルブ体（１０３）へ供給された圧縮空気を外部へ排出して、前記撃発ガスタンク（２４ａ）に貯蔵された圧縮ガスが第１バルブ体（１００）を介して前記圧縮ガス注入管（３６）へ移送されるようにする第２バルブ体とをさらに含む、請求項５に記載の固定式救命器具発射装置。
【発明の詳細な説明】
【技術分野】
【０００１】
本発明は、固定式救命器具発射装置に関し、より詳細には、装填ハンドルを後進させる装填動作を経ることなく救命器具を砲身に装着し次第に発射が可能であって迅速な対応を可能にする一方で、砲身の回転角度を制限して安全上の事故を防止し、救命器具の発射時に消防庁サーバ、警察庁サーバおよび地方自治体サーバへ事故発生の事実を伝送して後続措置が円滑に行われるようにした固定式救命器具発射装置に関する。
【背景技術】
【０００２】
一般的に、人命に関わる事故は、水上、海上、陸上、氷上及び船上などの様々な場所で発生する。特に、水上や海上で発生する人命事故は、事故発生場所の特殊性のため、人命救助活動に制限を受ける。
【０００３】
例えば、事故発生の後に時間が経てば経つほど流速や潮流などの影響で陸地或いは船上から遠く離れて漂流することになり、救助者が水泳、または救命ボートを用いて溺水者に接近してチューブやロープなどの救命器具や手を差し出して救助する。
【０００４】
しかし、緊急構造が要求される緊迫した状況で、熟練した水上安全要員や救命ボートなどの海上救助装備なしに溺水者に迅速に接近することはできず、気象状況に応じて溺水者だけでなく、救助者の安全保障を受けることができなくなる。
【０００５】
かかる問題点を解決するために、従来の肩撃ち式救命器具発射装置が紹介されている。
【０００６】
しかし、肩撃ち式救命器具発射装置は、重量が重いため、高齢者や弱者が使用するには不便であるという問題点があった。
一方、肩撃ち式救命器具発射装置は、装填ハンドルを後進させて係止部が撃針の係止溝に係止されるようにする装填動作が要求されて迅速な対応への妨げになった。
【０００７】
肩撃ち式の場合、意図せずに発射装置に隣接している人々に向けて発射体が発射できるため、安全上の事故のリスクも常に存在する。
したがって、このような肩撃ち式救命器具発射装置の問題点を効果的に解決することができる新しい方式の救命器具発射装置の開発が切実に求められる。
【先行技術文献】
【特許文献】
【０００８】
【特許文献１】韓国登録特許第１０−１７９０９４０号公報
【発明の概要】
【発明が解決しようとする課題】
【０００９】
本発明は、上述した問題点を解決するためになされたもので、装填動作なしに迅速な発射体の発射が可能な救命器具発射装置を提供することを目的とする
【００１０】
また、本発明は、砲身の回転角度を制限するようにすることを目的とする。
また、本発明は、救命器具の発射時に消防庁サーバ、警察庁サーバおよび地方自治体サーバに事故発生の事実を伝送することを目的とする。
【課題を解決するための手段】
【００１１】
本発明は、救命器具を遠距離の目標地点に到達するように発射するための固定式救命器具発射装置であって、
ベースと、
前記ベースの上部に装着され、圧縮ガスを供給する圧縮ガスタンクと、
前記ベースの上部に所定間隔離間して設けられるフレームと、
前記フレームに設置され、救命器具を前記圧縮ガスタンクから供給された圧縮ガスの衝撃力で発射する発射ユニットとを含み、
前記発射ユニットは、救命器具の装着後に撃発のための装填動作なしに発射体の発射が可能であることを特徴とする、固定式救命器具発射装置を提供する。
【００１２】
また、前記ベースの上部外周を覆う下部カバーと、
前記フレームの上部外周を覆う上部カバーとを含み、
前記上部カバーは、前記発射ユニットの砲身が配置される前方と前記発射ユニットの発射ボタンが配置される後方とが同時に開放または閉鎖されることを特徴とする。
また、前記上部カバーは、
二つの第１垂直部と、前記二つの第１垂直部同士を連結する第１水平部とによって「コ」字状をなし、前記第１水平部が上部を向くように前記ベースの上部に固定される第１カバーと、
二つの第２垂直部と、前記二つの第２垂直部同士を連結する第２水平部とによって「コ」字状をなし、前記第２垂直部の一側には第１ハンドルが結合され、前記第２水平部が上部を向くように前記フレームの上部に配置される第２カバーと、
二つの第３垂直部と、前記二つの第３垂直部同士を連結する第３水平部とによって「コ」字状をなし、前記第３垂直部の一側には第２ハンドルが結合され、前記第３水平部が上部を向くが前記第２水平部と重なるように前記フレームの上部に配置される第３カバーと、
前記第２水平部と前記第３水平部との間に介在している一対のベアリングと、
前記第１水平部、前記第２水平部及び前記第３水平部を貫通して結合された上部カバー回転軸とを含む。
【００１３】
また、前記フレームは、
中央に第１貫通孔が形成され、外周面に沿って発射体が取り付けられる一つ以上の発射体取付孔を有する第１フレームと、
外周面は前記第１フレームの第１貫通孔の縁部に結合され、中央には、第１角度範囲では第１半径に穿設され、前記第１角度範囲に相次いで形成された第２角度範囲では前記第１半径よりもさらに大きい第２半径に穿設された第２貫通孔を有する第２フレームとを含み、
前記発射ユニットの下部に装着されるストッパーが、前記第２貫通孔の第２半径に穿設された部分に挿入されることにより、前記発射ユニットの左右方向の回転角度を制限することを特徴とする。
【００１４】
また、前記発射ユニットは、
砲身が貫通して結合される第１開口部と、上部ケースの上下方向の回転時に下部ケースとの干渉を防止するために、前記第１開口部と所定間隔離隔して設けられた第２開口部とを有する上部ケースと、
前記上部ケースの後方に結合され、砲身の方向転換のために使用されるハンドルと、
ストッパーが結合される下端部は、前記第２フレームの上部に配置され、上端部には、砲身に供給される圧縮空気が満たされるガスチャンバーが形成された下部ケースと、
前記下部ケースのガスチャンバーと上部ケースを貫通して結合され、前記上部ケースがガスチャンバーに対して相対的に回転することができるようにする回転軸とを含み、
前記第１開口部を貫通してガスチャンバーの内部に挿入された砲身が前記回転軸を中心に上下方向に回転することができるように、前記第２開口部の開口角度に対応して、前記ガスチャンバーには第３開口部が形成されたことを特徴とする。
【００１５】
また、本発明は、円弧状に形成されるが、複数の角度調整孔が円弧に沿って形成され、上部ケースの内側面に結合された角度調整ブラケットと、
中央には、スプリングが内蔵されるように溝が形成され、ガスチャンバーの外表面上に形成された挿入溝に挿入されるボール挿入具と、
前記スプリングによって支持された状態で前記ボール挿入具に後面部が挿入されるが、外部に露出された前面部が前記角度調整ブラケットの角度調整孔に挿入される角度調整ボールと、
中央に前記角度調整ボールの直径よりも小さい直径の孔が穿設され、前記外部に露出された角度調整ボールの前面部を拘束して角度調整ボールの離脱を防止する固定板とをさらに含み、
ハンドルによって上部ケースの上下方向の角度が調整されるとき、前記角度調整ボールが、角度調整ブラケットに形成された前記角度調整孔に挿入され、上部ケースの上下方向の角度がステップ方式で調整されることを特徴とする。
【００１６】
また、本発明は、前記下部ケースを貫通し、上端は前記ガスチャンバーの内部に挿入され、下端は第１バルブ体を経由して撃発ガスタンクに連結される圧縮ガス注入管と、
発射ボタンの撃発時に発射体発射のための圧縮ガスを貯蔵する撃発ガスタンクと、
撃発の前には、前記圧縮ガスタンクから圧縮ガスの供給を受け、前記撃発ガスタンクと第２バルブ体に圧縮ガスを提供し、撃発の際には、前記撃発ガスタンクに貯蔵された圧縮ガスを圧縮ガス注入管に供給して発射体が発射されるようにする第１バルブ体と、
発射ボタンと、
前記発射ボタンに結合され、前記発射ボタンの撃発の際に第２バルブ体に供給された圧縮空気を外部へ排出して、前記撃発ガスタンクに貯蔵された圧縮ガスが第１バルブ体を介して前記圧縮ガス注入管へ移送されるようにする第２バルブ体とをさらに含む。
【００１７】
また、本発明は、前記発射装置の上部カバーの開放時または撃発時に、これをセンサーで測定した後、制御部へ感知信号を伝送し、制御部は、事故発生の事実を警察庁サーバ、消防庁サーバおよび地方自治体サーバへ伝送されるようにして後続措置が円滑に行われるようにすることを特徴とする。
【発明の効果】
【００１８】
本発明に係る固定式救命器具発射装置は、装填動作なしに迅速な発射体の発射が可能であるという効果がある。
【００１９】
また、本発明は、溺水者以外の人々に向けて発射体が発射されないようにして安全上の事故を防止するという効果がある。
また、本発明は、事故発生の際に後続措置が円滑に行われるようにするという効果がある。
上述した効果に加えて、本発明の具体的な効果は、以下の発明を実施するための具体的な事項を説明しながら一緒に記述する。
【図面の簡単な説明】
【００２０】
【図１】本発明に係る固定式救命器具発射装置を示す斜視図である。
【図２】図１から上部キャップが除去された状態を示す斜視図である。
【図３】本発明に係る固定式救命器具発射装置の上部カバーが前後方に開放された状態を示す斜視図である。
【図４】本発明に係る上部カバーの分解図である。
【図５】本発明に係る固定式救命器具発射装置の下部分解図である。
【図６】本発明に係る発射ユニット、フレーム、第１バルブ体が分解された状態を示す図である。
【図７】本発明に係る発射体の側面図である。
【図８】本発明に係る発射ユニットの断面図である。
【図９】本発明に係る第２フレームの斜視図である。
【図１０】本発明に係る発射ユニットの分解図である。
【図１１】本発明に係る下部ケースの斜視図である。
【図１２】本発明に係る角度調整ボールが角度調整ブラケットに挿入される状態を説明する図である。
【図１３】本発明による発射ユニットにおける撃発前の圧縮ガス供給経路を説明する図である。
【図１４】本発明に係る発射ユニットにおける撃発後の圧縮ガス供給経路を説明する図である。
【図１５】本発明による第１バルブ体の作動状態を説明する図である。
【図１６】本発明に係る第２バルブ体の作動状態を説明する図である。
【発明を実施するための形態】
【００２１】
本発明の固定式救命器具発射装置は、救命器具２１ａを遠距離の目標地点に到達するように発射するための固定式救命器具発射装置であって、
ベース２３と、
前記ベース２３の上部に装着されて圧縮ガスを供給する圧縮ガスタンク２２と、
前記ベース２３の上部に所定間隔離間して設置されるフレームと、
前記フレームに設置され、救命器具２１ａを前記圧縮ガスタンク２２から供給された圧縮ガスの衝撃力で発射する発射ユニットＡとを含み、
前記発射ユニットＡは、救命器具２１ａの装着後に撃発のための装填動作なしに発射体２１の発射が可能であることを特徴とし、
前記発射装置の上部カバーの開放時または撃発時に、これをセンサーで測定した後、制御部へ感知信号を伝送し、制御部は、事故発生の事実を警察庁サーバ、消防庁サーバおよび地方自治体サーバへ伝送されるようにして後続措置が円滑に行われるようにすることを特徴とする。
【００２２】
以下、本文書の様々な実施形態について添付図面を参照して説明する。しかし、これは、本文書に記載された技術を、特定の実施形態について限定するものではなく、本文書の実施形態の様々な変更（ｍｏｄｉｆｉｃａｔｉｏｎｓ）、均等物（ｅｑｕｉｖａｌｅｎｔｓ）、および／または代替物（ａｌｔｅｒｎａｔｉｖｅｓ）を含むものと理解されるべきである。図面の説明に関連し、同様の構成要素については同様の参照符号が使用できる。
【００２３】
また、本文書で使用された「第１」、「第２」などの表現は、様々な構成要素を順序および／または重要度を問わずに修飾することができ、ある構成要素を他の構成要素と区別するために使われるものに過ぎず、当該構成要素を限定しない。例えば、「第１部分」と「第２部分」は、順序または重要度を問わず、互いに異なる部分を示すことができる。例えば、本文書に記載された権利範囲を逸脱することなく、第１構成要素は第２構成要素と命名されることもあり、これと同様に、第２構成要素も第１構成要素と命名されることもある。
【００２４】
また、本文書で使用された用語は、単に特定の実施形態を説明するために使用されたものであり、他の実施形態の範囲を限定するものではない。単数の表現は、文脈上明らかに別の意味を有しない限り、複数の表現を含むことができる。技術的または科学的な用語を含めてここで使用される用語は、本文書に記載された技術分野における通常の知識を有する者によって一般的に理解されるのと同じ意味を有することができる。本文書に使用される用語のうち、一般的な辞典に定義された用語は、関連技術の文脈上持つ意味と同一又は類似の意味で解釈でき、本文書で明らかに定義されない限り、理想的または過度に形式的な意味で解釈されない。場合によっては、本文書で定義された用語であっても、本文書の実施形態を排除するように解釈できない。
【００２５】
図１は本発明に係る固定式救命器具発射装置を示す斜視図、図２は図１から上部キャップが除去された状態を示す斜視図、図３は本発明に係る固定式救命器具発射装置の上部カバーが前後方に開放された状態を示す斜視図、図４は本発明に係る上部カバーの分解図、図５は本発明に係る固定式救命器具発射装置の下部分解図である。
【００２６】
次に、図１乃至図５を参照して説明する。
本発明に係る固定式救命器具発射装置は、救命器具を遠距離の目標地点に到達するように発射するために所定の位置に固定される。
【００２７】
救命器具発射装置は、ベース２３、圧縮ガスタンク２２、フレーム、及び発射ユニットＡを含む。
【００２８】
特に、本発明に係る発射ユニットＡは、救命器具の装着後に撃発のための装填動作なしに発射体２１の発射が可能である。よって、迅速な対応が可能であるという利点がある。
【００２９】
ベース２３は、発射装置の最も下部に配置されるもので、上部には圧縮ガスタンク２２が装着される。
【００３０】
圧縮ガスタンク２２は、発射体２１の発射のために圧縮ガスを貯蔵して供給する。圧縮ガスとしては、不活性ガスである二酸化炭素を使用することが好ましいが、これに限定されない。
【００３１】
ベース２３の上面には、圧縮ガスタンク２２を支持する支持台が備えられてもよい。
ベース２３の上部には、ベース２３の上部外周を覆う下部カバー２０が結合される。これは、圧縮ガスタンク２２の外部露出を遮断して部外者の接近を防止するためである。
【００３２】
前記ベース２３と所定間隔離隔して、ベース２３の上部にはフレームが配置される。フレームは、後述する発射ユニットＡを支持する。
フレームは、前記下部カバー２０の上端部に結合される。
フレームの上部外周を覆う上部カバーが備えられる。
【００３３】
本発明に係る上部カバーは、発射装置に隣接している人々を保護するために、発射ユニットＡの砲身３０が配置される前方と発射ユニットＡの発射ボタン３３が配置される後方のみを開閉可能にし、それ以外の側面を閉鎖するようにした。
【００３４】
一方、使用の便宜のために、発射ユニットＡの砲身３０が配置される前方と発射ボタン３３が配置される後方とが同時に開放または閉鎖される構造で設計した。
【００３５】
図４を参照すると、本発明に係る上部カバーは、第１カバー２００、第２カバー２０１、第３カバー２０２、ベアリング７００及び上部カバー回転軸７０２を含む。
【００３６】
第１カバー２００は、二つの第１垂直部と、前記二つの第１垂直部同士を連結する第１水平部とによって「コ」字状をなすように形成される。
【００３７】
前記第１水平部が上部を向くようにベース２３の上部に固定される。上部カバーの開放時には、第２カバー２０１と第３カバー２０２が第１カバー２００の第１垂直部の内側に配置される。
【００３８】
第２カバー２０１は、二つの第２垂直部と、前記二つの第２垂直部同士を連結する第２水平部とによって「コ」字状をなすように形成される。
前記第２垂直部の一側には第１ハンドルが結合され、前記第２水平部が上部を向くように前記フレームの上部に配置される。
第２カバー２０１と後述の第３カバー２０２は、フレームの上部に固定されず、開放または閉鎖可能に配置される。
第３カバー２０２は、二つの第３垂直部と、前記二つの第３垂直部同士を連結する第３水平部とによって「コ」字状をなし、前記第３垂直部の一側には第２ハンドルが結合される。
【００３９】
第３水平部は、上部を向くが前記第２水平部と重なるように前記フレームの上部に配置される。
第２水平部と第３水平部との間には、一対のベアリング７００が介在する。
第１水平部、第２水平部および第３水平部を貫通して上部カバー回転軸７０２が結合される。
【００４０】
このような構造により、上部カバーは、発射ユニットＡの砲身３０が配置される前方と前記発射ユニットＡの発射ボタン３３が配置される後方とが同時に開放または閉鎖可能である。
【００４１】
図６は本発明に係る発射ユニットＡ、フレーム及び第１バルブ体１００が分解された状態を示す図、図７は本発明に係る発射体２１の側面図、図８は本発明に係る発射ユニットＡの断面図、図９は本発明に係る第２フレーム２４の斜視図である。
【００４２】
次に、図６乃至図９を参照して説明する。
本発明に係るフレームは、第１フレーム２５及び第２フレーム２４を含む。
第１フレーム２５は、中央に第１貫通孔２５ａが形成され、後述の第２フレーム２４が挿入されて結合される。
第１フレーム２５の外周面に沿って、発射体２１が取り付けられる一つ以上の発射体取付孔が形成される。
【００４３】
ユーザーは、発射体取付孔に取り付けられた発射体２１を装脱して砲身３０に装着した後に発射し、別の準備作業なしに相次いで別の発射体２１を砲身３０に装着して連続発射が可能である。
【００４４】
発射体２１は、救命器具２１ａ、連接台２１ｂ及び発射体装着具２１ｃを含む。
発射体２１の前方には救命器具２１ａが配置され、次に連接第２１ｂが救命器具２１ａの一端に結合される。
【００４５】
連結台２１ｂは、救命器具２１ａと発射体装着具２１ｃとを連結する構造物である。
発射体装着具２１ｃは、内部に中空部を有するパイプ状に形成され、砲身３０の表面上に結合される。
発射体装着具２１ｃは、発射体２１を砲身３０の外周面に安定的に装着するとともに、飛行距離を増加させるためのものである。
【００４６】
第２フレーム２４は、発射ユニットＡを支持する構造物であって、発射ユニットＡが左右方向に限られた角度範囲で回転することができるように設計された。
第２フレーム２４の外周面は、前記第１フレーム２５の第１貫通孔２５ａの縁部に結合される。
第２フレーム２４の中央には、第１角度範囲では第１半径に穿設され、前記第１角度範囲に相次いで形成された第２角度範囲では前記第１半径よりもさらに大きい第２半径に穿設された第２貫通孔２４ｂが備えられる。
【００４７】
発射ユニットＡの下部にはストッパー１０４が装着される。前記ストッパー１０４は、第２貫通孔２４ｂの第２半径に穿設された部分に挿入されることにより、発射ユニットＡの左右方向の回転時に第２半径部の側壁に干渉して回転角度が制限される。
【００４８】
本発明に係る発射ユニットＡは、好ましくは、左右方向に１２０度の角度範囲で回転が可能である。
【００４９】
図１０は本発明に係る発射ユニットＡの分解図、図１１は本発明に係る下部ケース３４の斜視図、図１２は本発明に係る角度調整ボール１０７が角度調整ブラケット１０５に挿入される状態を説明する図、図１３は本発明に係る発射ユニットＡにおける撃発前の圧縮ガス供給経路を説明する図、図１４は本発明に係る発射ユニットＡにおける撃発後の圧縮ガス供給経路を説明する図、図１５は本発明に係る第１バルブ体１００の作動状態を説明する図、図１６は本発明に係る第２バルブ体１０３の作動状態を説明する図である。
【００５０】
次に、図１０乃至図１６を参照して説明する。
発射ユニットＡは、上部ケース３１、ハンドル３２、下部ケース３４及び回転軸４０を含む。
上部ケース３１は、発射ユニットＡの上部を覆うケースである。
上部ケース３１の前方には、砲身３０が貫通して結合される第１開口部３１ｂが形成される。
上部ケース３１の上下方向の回転時に下部ケース３４との干渉を防止するために、前記第１開口部３１ｂと所定間隔離隔して上部ケース３１の下部に第２開口部３１ａが形成される。
上部ケース３１の後方には、砲身３０の方向転換のために使用されるハンドル３２が結合される。
下部ケース３４は、発射ユニットＡの下部を覆い、圧縮ガスタンク２２から供給された圧縮空気を砲身３０に供給する。
下部ケース３４の下端部にはストッパー１０４が結合され、前述したところによって発射ユニットＡの左右方向の回転角度を制限する。
【００５１】
ストッパー１０４が結合される下部ケース３４の下端部は、第２フレーム２４の上部に配置され、下部ケースの上端部には、砲身３０に供給される圧縮空気が満たされるガスチャンバー３４ａが形成される。
【００５２】
回転軸４０は、前記下部ケース３４のガスチャンバー３４ａと上部ケース３１を貫通して結合される。よって、上部ケース３１がガスチャンバー３４ａに対して相対的に回転することができる。すなわち、上部ケース３１が下部ケース３４に対して上下方向に相対的に回転可能である。
【００５３】
第１開口部３１ｂを貫通してガスチャンバー３４ａの内部に挿入された砲身３０が、前記回転軸４０を中心に上下方向に回転することができるように、前記第２開口部３１ａの開口角度に対応して前記ガスチャンバー３４ａには第３開口部３４ｂが形成される。
【００５４】
本発明に係る発射ユニットＡの砲身３０は、好ましくは、上下４５度の角度範囲で回転が可能である。
【００５５】
このように、本発明に係る発射ユニットＡは、限られた上下左右の角度範囲のみでの回転を可能にして、発射装置に隣接している人々に意図せぬ安全上の事故が発生しないようにした。
【００５６】
本発明に係る上部ケース３１は、上下方向の回転時にステップ方式で角度調整を可能にして、ユーザーによる微細角度調整を可能にした。
【００５７】
このため、本発明では、角度調整ブラケット１０５、ボール挿入具１０６、角度調整ボール１０７及び固定板１０８が備えられる。
【００５８】
角度調整ブラケット１０５は、円弧状に形成されるが、複数の角度調整孔が円弧に沿って形成され、上部ケース３１の内側面に結合される。
ボール挿入具１０６は、中央にはスプリングが内蔵されるように溝が形成され、ガスチャンバー３４ａの外表面上に形成された挿入溝に挿入される。
【００５９】
角度調整ボール１０７は、スプリングによって支持された状態で前記ボール挿入具１０６に後面部が挿入されるが、外部に露出された前面部が前記角度調整ブラケット１０５の角度調整孔に挿入される。
【００６０】
固定板１０８は、中央に前記角度調整ボール１０７の直径よりも小さい直径の孔が穿設され、外部に露出された角度調整ボール１０７の前面部を拘束して角度調整ボール１０７の離脱を防止する。
【００６１】
したがって、ユーザーは、ハンドル３２を上下方向に動くたびに、角度調整ボール１０７が各孔に挿入されるカチッという音を認知して微細に角度調整を行うことができる。
【００６２】
本発明に係る発射ユニットＡの発射体２１の発射が行われる方式を説明する。
発射体２１の発射のために、圧縮ガス注入管３６、撃発ガスタンク２４ａ、第１バルブ体１００、発射ボタン３３及び第２バルブ体１０３が備えられる。
【００６３】
圧縮ガス注入管３６は、発射体２１の発射のために、貯蔵された撃発ガスタンク２４ａのガスをガスチャンバー３４ａへ供給する。
圧縮ガス注入管３６の上端は、ガスチャンバー３４ａの内部に挿入され、圧縮ガス注入管の下端は、第１バルブ体１００を経由して撃発ガスタンク２４ａに連結される。
撃発ガスタンク２４ａは、発射ボタン３３の撃発の際に発射体２１の発射のための圧縮ガスを貯蔵し、第２フレーム２４の下部に形成される。
【００６４】
第１バルブ体１００は、撃発の前には前記圧縮ガスタンク２２から圧縮ガスの供給を受けて前記撃発ガスタンク２４ａと第２バルブ体１０３へ圧縮ガスを提供し、撃発の際には前記撃発ガスタンク２４ａに貯蔵された圧縮ガスを圧縮ガス注入管３６へ供給して発射体２１が発射されるようにする。
【００６５】
図１５（ａ）は撃発前の第１バルブ体１００の作動状態を示す図、図１５（ｂ）は撃発後の第１バルブ体１００の作動状態を示す図である。
図１５（ａ）を参照すると、撃発の前には圧縮ガスタンクポート８００から圧縮空気が供給され、撃発ガスタンクポート８０２と第２バルブ体ポート８０１へ圧縮空気を移送する。
【００６６】
このとき、第１バルブ体１００内のピストン１００ａは、圧縮ガス注入管３６のポート８０３を閉鎖してガスチャンバー３４ａへ圧縮空気を移送しない。
【００６７】
したがって、撃発の前に撃発ガスタンク２４ａと第２バルブ体１０３に圧縮空気が充填される。
【００６８】
図１５（ｂ）を参照すると、撃発の後には圧縮ガスタンク２２のポートよりも直径が大きい第２バルブ体１０３のポートに圧縮ガスが大量に排出されると、第１バルブ体１００内のピストン１００ａは、図面上において左側へ移動する。よって、圧縮ガスタンク２２のポートと第２バルブ体ポート８０１は閉鎖され、撃発ガスタンクポート８０２とガスチャンバーポートが開放される。
【００６９】
その結果、撃発ガスタンク２４ａに貯蔵された圧縮空気が圧縮ガス注入管３６を介してガスチャンバー３４ａへ移動して発射体２１を発射する。
【００７０】
第２バルブ体１０３は発射ボタン３３に結合される。
第２バルブ体１０３は、発射ボタン３３の撃発の際に第２バルブ体１０３に供給された圧縮空気を外部へ排出して、撃発ガスタンク２４ａに貯蔵された圧縮ガスが第１バルブ体１００を介して圧縮ガス注入管３６へ移送されるようにする。
【００７１】
図１６（ａ）は撃発前の第２バルブ体１０３の作動状態を示す図であり、図１６（ｂ）は撃発後の第２バルブ体１０３の作動状態を示す図である。
図１６（ａ）を参照すると、発射ボタン３３が押圧される前には、第１バルブ体１００から供給された圧縮空気が遮断されて第２バルブ体１０３の内部に充填される。
図１４（ｂ）を参照すると、発射ボタン３３が押圧されると、第２バルブ体１０３の内部に充填された圧縮空気が外部へ排出されることにより、第１バルブ体１００内のピストン１００ａが移動するようにする。
【００７２】
このような構造で設計された本発明に係る発射ユニットＡは、発射体２１が砲身３０に装着されると、発射ボタン３３の押圧動作によって直ちに発射が行われ、撃発後の撃発ガスタンク２４ａのガス注入は短時間で行われるので、別の発射体２１を相次いで発射することが可能である。
【００７３】
一方、本発明に係る救命器具発射装置は、制御部（図示せず）が備えられる。上部カバーの開放時または撃発時にセンサーがこれをセンシングして制御部へ上部カバー開放または撃発検知信号を送る。
【００７４】
制御部は、事故発生の事実を警察庁サーバ、消防庁サーバおよび地方自治体サーバに伝送されるようにして、後続措置が円滑に行われるようにする。
【００７５】
一方、無線通信機能付き圧力計が圧縮ガスタンク２２の圧力を検知して管理者サーバへ伝送する。管理者サーバは、測定された圧縮ガスタンク２２の圧力が所定の圧力以下に低下するときに圧縮ガスを供給するようにすることにより、救命器具発射装置を常に作動可能な状態に維持することができる。
【００７６】
以上、本発明の好適な実施形態について図示及び説明したが、本発明は、上述した特定の実施形態に限定されず、請求の範囲で請求する本発明の要旨を逸脱することなく、当該発明の属する技術分野における通常の知識を有する者によって多様な変形実施が可能であるのはもとより、このような変形実施形態は本発明の技術的思想や展望から個別的に理解されてはならないだろう。
【産業上の利用可能性】
【００７７】
本発明に係る固定式救命器具発射装置は、装填動作なしに迅速な発射体の発射が可能であり、溺水者以外の人々に向けて発射体が発射されないようにして安全上の事故を防止するうえ、事故発生の際に後続措置が円滑に行われるようにするという効果があるものであって、産業上の利用可能性が非常に高い発明である。
【符号の説明】
【００７８】
２０    下部カバー
２１    発射体
２１ａ    救命器具
２１ｂ    連結台
２１ｃ    発射体装着具
２２    圧縮ガスタンク
２２ａ    タンク支持台
２３    ベース
２４    第２フレーム
２４ａ    撃発ガスタンク
２４ｂ    第２貫通孔
２５    第１フレーム
２５ａ    第１貫通孔
２５ｂ    発射体取付孔
３０    砲身
３１    上部ケース
３１ａ    第２開口部
３１ｂ    第１開口部
３２    ハンドル
３３    発射ボタン
３４    下部ケース
３４ａ    ガスチャンバー
３４ｂ    第３開口部
３６    圧縮ガス注入管
Ａ    発射ユニット
４０    回転軸
１００    第１バルブ体
１００ａ    ピストン
１０１    ワンタッチ継手
１０２    ロータリージョイント
１０３    第２バルブ体
１０４    ストッパー
１０５    角度調整ブラケット
１０６    ボール挿入具
１０７    角度調整ボール
１０８    固定板
２００    第１カバー
２０１    第２カバー
２０２    第３カバー
２０３    上部キャップ
７００    ベアリング
７０２    上部カバー回転軸
８００    圧縮ガスタンクポート
８０１    第２バルブ体ポート
８０２    撃発ガスタンクポート
８０３    圧縮ガス注入管ポート
【図１】
2021518831.tif 000003
【図２】
2021518831.tif 000004
【図３】
2021518831.tif 000005
【図４】
2021518831.tif 000006
【図５】
2021518831.tif 000007
【図６】
2021518831.tif 000008
【図７】
2021518831.tif 000009
【図８】
2021518831.tif 000010
【図９】
2021518831.tif 000011
【図１０】
2021518831.tif 000012
【図１１】
2021518831.tif 000013
【図１２】
2021518831.tif 000014
【図１３】
2021518831.tif 000015
【図１４】
2021518831.tif 000016
【図１５（ａ）】
2021518831.tif 000017
【図１５（ｂ）】
2021518831.tif 000018
【図１６（ａ）】
2021518831.tif 000019
【図１６（ｂ）】
2021518831.tif 000020
【国際調査報告】
2021518831.tif 000021
2021518831.tif 000022
2021518831.tif 000023
2021518831.tif 000024